(57)【要約】      （修正有）【課題】溶接を行うことなく筐体を組立て可能とし、熱による筐体の変形を防止すると共に部品点数の低減により、コストの削減を図る通信機器筐体を提供する。【解決手段】通信機器のユニットを収納する筐体に於いて、該筐体が上面板１２と下面板１１と２枚の側面板１３，１４と扉体とにより構成され、前記筐体の隅部に各面板の少なくとも２つの面板３４ｂ、３４ｃをリベットにて固定する筐体コーナ金具３３を設け、前記扉体の隅部にリベットにて固定された扉コーナ金具を設けた。【選択図】図２
2012151330.tif 000002
【特許請求の範囲】
【請求項１】
通信機器のユニットを収納する筐体に於いて、該筐体が上面板と下面板と３枚の側面板と扉体とにより構成され、前記筐体の隅部に各面板の少なくとも２つの面板をリベットにて固定する筐体コーナ金具を設け、前記扉体の隅部にリベットにて固定された扉コーナ金具を設けたことを特徴とする通信機器筐体。
【発明の詳細な説明】
【技術分野】
【０００１】
本発明は通信機器、特に無線通信装置を収納する通信機器筐体に関するものである。
【背景技術】
【０００２】
先ず、図１０に於いて、従来の通信機器筐体について説明する。
【０００３】
通信機器の筐体１は、底板２、天板３、右側面板４、左側面板５、図示しない背面板からなる実装部６と扉体７から構成され、前記筐体１には図示しない通信機器のユニットが複数実装できる様になっている。
【０００４】
前記底板２の側面に、前記右側面板４と前記左側面板５と前記背面板の下端部とを溶接にて固定し、前記右側面板４と前記左側面板５と前記背面板の上端部と前記天板３の側面を溶接にて固定することで前記実装部６が組立てられ、前記扉体７は前記底板２の上面と前記天板３の下面の開口部側端部に挿通されたヒンジピン（図示せず）を介して前記実装部６の開口部を開閉可能に設けられている。
【０００５】
又、前記右側面板４と前記左側面板５には、図示しないユニットを固定する為のネジ座８がスポット溶接にて取付けられ、前記扉体７には強度を向上させる為の上下方向に長い補強板９が溶接にて取付けられている。更に、前記天板３の上面には、前記筐体１を吊上げ運搬用のアイボルトが取付けられる複数のネジ穴１０が穿設されている。
【０００６】
従来の前記筐体１の場合、前記底板２と前記天板３とは、それぞれ前記右側面板４と前記左側面板５と前記背面板に溶接にて取付けられる為、溶接時の熱により前記筐体１が歪み、溶接後に歪み取りを行う必要があると共に表面の平滑仕上げを行う必要があり、手間がかかると共に、前記筐体１の組立て後には該筐体１の構造を変更するのが困難であるという問題があった。
【先行技術文献】
【特許文献】
【０００７】
【特許文献１】特開２００５−２５１８１７号公報
【発明の概要】
【発明が解決しようとする課題】
【０００８】
本発明は斯かる実情に鑑み、溶接を行うことなく筐体を組立て可能とし、熱による筐体の変形を防止すると共に部品点数の低減により、コストの削減を図る通信機器筐体を提供するものである。
【課題を解決するための手段】
【０００９】
本発明は、通信機器のユニットを収納する筐体に於いて、該筐体が上面板と下面板と３枚の側面板と扉体とにより構成され、前記筐体の隅部に各面板の少なくとも２つの面板をリベットにて固定する筐体コーナ金具を設け、前記扉体の隅部にリベットにて固定された扉コーナ金具を設けた通信機器筐体に係るものである。
【発明の効果】
【００１０】
本発明によれば、通信機器のユニットを収納する筐体に於いて、該筐体が上面板と下面板と３枚の側面板と扉体とにより構成され、前記筐体の隅部に各面板の少なくとも２つの面板をリベットにて固定する筐体コーナ金具を設け、前記扉体の隅部にリベットにて固定された扉コーナ金具を設けたので、前記筐体の組立てに溶接を行う必要がなく、熱による歪みを防止できると共に、溶接後の歪み取りや表面平滑加工を行う必要がなく、又、前記筐体コーナ金具により少なくとも２つの面板が一体に固定されることで、各面板の変位が相互に拘束され、前記筐体の強度を向上させることができるという優れた効果を発揮する。
【図面の簡単な説明】
【００１１】
【図１】本発明の第１の実施例に係る筐体を示す斜視図である。
【図２】本発明の第１の実施例に係る筐体の実装部を示す断面斜視図である。
【図３】前記実装部の要部拡大図である。
【図４】本発明の第１の実施例に係る天板を示す斜視図である。
【図５】本発明の第１の実施例に係る底板を示す斜視図である。
【図６】本発明の第１の実施例に係る右側面板を示す斜視図である。
【図７】本発明の第１の実施例に係る扉体を示す斜視図である。
【図８】本発明の第２の実施例に係る右側面板を示す斜視図である。
【図９】本発明の第２の実施例に係る筐体上部と筐体下部を示す斜視図である。
【図１０】従来の筐体を示す斜視図である。
【発明を実施するための形態】
【００１２】
以下、図面を参照しつつ本発明の実施例を説明する。
【００１３】
先ず、図１〜図７に於いて、本発明の第１の実施例について説明する。尚、図１〜図７中、図１０中と同等のものには同符号を付し、その説明を省略する。又、図６は右側面板１３を示しているが、左側面板１４は前記右側面板１３と同形状である為、図示を省略している。尚、以下では、図１に於けるＡを上下方向、Ｂを左右方向、Ｃを前後方向としている。
【００１４】
第１の実施例に於ける筐体１は、下面板である底板１１、上面板である天板１２、右側面板１３、左側面板１４、図示しない背面板からなる実装部１５と、該実装部１５の開口部を開閉可能に設けられた正面板である扉体１６により構成され、前記実装部１５には通信機器のユニット１７が複数実装可能となっている。尚、図１中、２５ａは前記天板１２とは別部材で多数のスリット２５ｂが穿設された化粧パネルであり、後述する放熱孔２５を覆う様に取付けられ、前記実装部１５の下方に設けられた図示しないファンにより吸気された空気を前記化粧パネル２５ａのスリット２５ｂより排気する様になっている。
【００１５】
図５に示される様に、前記底板１１は金属製の板材により形成され、中心部には配線引込み孔１８が穿設され、又４辺を垂直上方に屈曲させることで、それぞれ正面側垂直屈曲部１９ａ、背面側垂直屈曲部１９ｂ、右側垂直屈曲部１９ｃ、左側垂直屈曲部１９ｄが形成され、更に各垂直屈曲部１９ａ〜１９ｄの先端部が前記底板１１の中心方向に直角に屈曲されることで、それぞれ正面側水平屈曲部２１ａ、背面側水平屈曲部２１ｂ、右側水平屈曲部２１ｃ、左側水平屈曲部２１ｄが形成されている。
【００１６】
前記底板１１は、前記垂直屈曲部１９ａ〜１９ｄが互いに接触しない様端部が切除されており、前記背面側水平屈曲部２１ｂの両端部と前記右側水平屈曲部２１ｃと前記左側水平屈曲部２１ｄの端部が重なり合う様になっている。又、前記正面側垂直屈曲部１９ａの両端には、それぞれ嵌合凸部２０，２０が形成され、前記正面側垂直屈曲部１９ａの切除された端部を閉塞する様に、該正面側垂直屈曲部１９ａの内側から筐体コーナ金具３３，３３（後述）が取付けられる。該筐体コーナ金具３３，３３の露出面には、それぞれ複数箇所、例えば４箇所にリベット孔２２，２２が穿設され、前記垂直屈曲部１９ｂ〜１９ｄの両側端部には、それぞれ複数箇所、例えば４箇所にリベット孔３０，３０が穿設されている。尚、図示はしないが、前記背面側垂直屈曲部１９ｂも前記正面側垂直屈曲部１９ａと同様、両端に嵌合凸部が形成され、切除された端部が前記筐体コーナ金具３３，３３により閉塞されている。
又、前記背面側垂直屈曲部１９ｂ、前記右側垂直屈曲部１９ｃ、前記左側垂直屈曲部１９ｄの中心部には、矩形の背面側配線引込み孔２３ｂ、右側配線引込み孔２３ｃ、左側配線引込み孔２３ｄが形成される様上辺を残して３辺を欠切し、上辺を支点として前記底板１１の中心方向に直角に屈曲させ、更に屈曲された先端部を垂直上方に屈曲させることで、それぞれ断面Ｌ字状の背面側取手部２４ｂ、右側取手部２４ｃ、左側取手部２４ｄが形成されており、前記配線引込み孔２３ｂ〜２３ｄ及び前記取手部２４ｂ〜２４ｄを介して前記筐体１が運搬される様になっている。
【００１７】
図４に示される様に、前記天板１２は金属製の板材によって形成され、４辺を垂直下方に屈曲させることで、それぞれ正面側垂直屈曲部２６ａ、背面側垂直屈曲部（図示せず）、右側垂直屈曲部２６ｃ、左側垂直屈曲部２６ｄが形成され、更に各垂直屈曲部２６ａ，２６ｃ，２６ｄ及び前記背面側垂直屈曲部の先端部が前記天板１２の中心方向に直角に屈曲されることで、それぞれ正面側水平屈曲部２７ａ、背面側水平屈曲部（図示せず）、右側水平屈曲部２７ｃ、左側水平屈曲部２７ｄが形成されている。
【００１８】
前記天板１２は、前記垂直屈曲部２６ａ，２６ｃ，２６ｄ及び前記背面側垂直屈曲部が互いに接触しない様端部が切除されており、前記水平屈曲部２７ａ，２７ｃ，２７ｄ及び前記背面側水平屈曲部はそれぞれ両側端部が重なり合う様になっている。又、前記正面側垂直屈曲部２６ａには前記放熱孔２５が所定数形成され、両端にはそれぞれ嵌合凸部４０，４０が形成され、前記正面側垂直屈曲部２６ａの切除された端部を閉塞する様に、該正面側垂直屈曲部２６ａの内側から前記筐体コーナ金具３３，３３が取付けられる。該筐体コーナ金具３３，３３の露出面には、それぞれ複数箇所、例えば４箇所にリベット孔２２，２２が穿設され、前記垂直屈曲部２６ｃ，２６ｄの両側端部には、それぞれ複数箇所、例えば４箇所にリベット孔２８，２８が穿設されている。尚、図示はしないが、前記背面側垂直屈曲部も前記正面側垂直屈曲部２６ａと同様、両端に嵌合凸部が形成され、切除された端部が前記筐体コーナ金具３３により閉塞されている。
【００１９】
図６に示される様に、前記右側面板１３は金属製の板材によって形成され、前後方向中心部は内に向って突出部２９が凹字状に屈曲形成され、該突出部２９の上端部及び下端部が欠切されている。又、該突出部２９の両側には柱部６１，６１が形成され、該柱部６１，６１の前端部及び後端部が直角に屈曲される。該屈曲部の上端部及び下端部には、取付け片６３，６３及び取付け片６４，６４が形成され、前記取付け片６３及び前記取付け片６４の先端部には、それぞれ嵌合凹部６３ａ，６４ａが形成されており、該嵌合凹部６３ａ，６４ａは、それぞれ前記嵌合凸部４０，２０と嵌合可能となっている。
又、前記右側面板１３を前記突出部２９の下端を前記右側水平屈曲部２１ｃ上に載置し、前記右側水平屈曲部２７ｃを前記突出部２９の上端に載置することで、前記底板１１、前記天板１２、前記右側面板１３の上下方向の位置決めが可能となっている。
【００２０】
前記柱部６１，６１の上端部及び下端部には、それぞれ所定箇所、例えばそれぞれ２箇所ずつリベット孔３１，３１が穿設され、前記取付け片６３，６３にはそれぞれ所定箇所、例えば２箇所にリベット孔６５，６５が穿設され、前記取付け片６４，６４にはそれぞれ所定箇所、例えば２箇所にリベット孔６６，６６が穿設されている。前記突出部２９の下端を前記右側水平屈曲部２１ｃ上に載置した際には、前記リベット孔３１，３１は端部側の前記リベット孔３０，３０の位置と一致する。更に、前記取付け片６４を前記筐体コーナ金具３３に重合させ、前記嵌合凹部６４ａに前記嵌合凸部２０を嵌合させることで、前記リベット孔６６，６６が前記筐体コーナ金具３３の端部側のリベット孔２２，２２の位置と一致し、且つ前記取付け片６４，６４と前記正面側垂直屈曲部１９ａ及び前記背面側垂直屈曲部１９ｂとが面一となる。更に、前記突出部２９には所定箇所、例えば３箇所に矩形のユニット取付け孔３２が穿設されている。
【００２１】
尚、前記左側面板１４は前記右側面板１３と同様の形状であるので説明は省略する。
【００２２】
次に、前記実装部１５の構造について説明する。
【００２３】
前記底板１１の隣合う２つの前記垂直屈曲部１９で形成される４つの隅部には、それぞれ前記筐体コーナ金具３３が取付けられている。該筐体コーナ金具３３は金属製の板材であり、前記底板１１の上面に当接する面３４ａと、該面３４ａに対して直角に屈曲された２つの面３４ｂ，３４ｃを有し、該２つの面３４ｂ，３４ｃは隣合う前記垂直屈曲部１９と当接する様になっている。前記２つの面３４ｂ，３４ｃにはそれぞれ所定箇所、例えば４箇所にリベット孔２２，２２が穿設されており、前記面３４ｃのリベット孔２２の位置は前記垂直屈曲部１９に穿設された前記リベット孔３０の位置と一致する様になっている。
【００２４】
前記実装部１５を組立てる際には、先ず４隅にそれぞれ配置された前記筐体コーナ金具３３の前記面３４ａを、前記底板１１上面にリベットにて予め固着させる。次に、前記右側面板１３の前記突出部２９の下端を前記右側水平屈曲部２１ｃ上に載置することで前記右側面板１３の上下方向の位置決めを行い、更に前記取付け片６４を前記筐体コーナ金具３３に重合させ、前記嵌合凹部６４ａに前記嵌合凸部２０を嵌合させることで前記右側面板１３の左右方向の位置決めを行い、位置決めを終了させた後にリベットにて前記筐体コーナ金具３３、前記垂直屈曲部１９ａ，１９ｂ，１９ｃ、前記右側面板１３とを固定する。尚、前記左側面板１４も前記右側面板１３と同様に前記筐体コーナ金具３３、前記垂直屈曲部１９ａ，１９ｂ，１９ｄにリベットにて固定する。
【００２５】
前記天板１２の下面にも、前記底板１１と同様４隅に前記筐体コーナ金具３３の前記面３４ａが予めリベットにて固定されており、前記天板１２の前記水平屈曲部２７ｃ，２７ｄを前記右側面板１３の前記突出部２９及び前記左側面板１４の突出部（図示せず）の上端に載置することで、前記天板１２の上下方向の位置決めを行い、更に前記取付け片６３を前記筐体コーナ金具３３に重合させ、前記嵌合凹部６３ａを前記嵌合凸部４０に嵌合させることで前記天板１２の左右方向の位置決めを行い、最後にリベットにて前記筐体コーナ金具３３、前記垂直屈曲部２６ａ，２６ｃ，２６ｄ及び前記背面側垂直屈曲部、前記右側面板１３及び前記左側面板１４を固定することで、前記天板１２が取付けられる。
【００２６】
最後に、前記右側面板１３と前記左側面板１４の前記突出部２９の裏面を閉塞する様、金属製の板材である側板３５，３５が取付けられる。該側板３５の角部には所定箇所、例えば２箇所にリベット孔（図示せず）が穿設されると共に、下端部の中央には前記配線引込み孔２３と同等の大きさの孔が穿設されており、前記側板３５のリベット孔の位置と、前記底板１１及び前記天板１２の中心側の２箇所の前記リベット孔３０，３０及びリベット孔２８，２８の位置とを一致させた状態で、リベットにて固定することで、前記側板３５が前記筐体コーナ金具３３、前記垂直屈曲部１９，２６と一体に固定される。この時、前記側板３５に穿設された孔の位置は前記配線引込み孔２３の位置と一致しており、該配線引込み孔２３が外部に開放される様になっている。
【００２７】
尚、図示はしないが、背面板も前記右側面板１３や前記左側面板１４と同様に取付けられてもよいし、前記右側面板１３や前記左側面板１４にネジ止めされてもよい。而して、前記底板１１、前記天板１２、前記右側面板１３、前記左側面板１４、前記側板３５，３５、背面板（図示せず）により前記実装部１５が組立てられる。
【００２８】
図７に示される様に、前記扉体１６は金属製の板材によって形成され、４辺を直角に屈曲させることで扉厚部３６ａ〜３６ｄが形成され、該扉厚部３６ａ〜３６ｄの先端部を前記扉体１６の中心方向に直角に屈曲させることで屈曲部３７ａ〜３７ｄが形成される。
【００２９】
尚、前記扉体１６は角部が欠切され、前記扉厚部３６ａ〜３６ｄを互いに接触させない様にすると共に、前記屈曲部３７ａ〜３７ｄの両端部がそれぞれ重なり合っており、該屈曲部３７ａ〜３７ｄの重なり合った箇所がリベット止めされている。
【００３０】
又、前記扉体１６の上下方向上方には、放熱用のスリット３８が多数穿設され、下方には図示しない矩形の孔が穿設されると共に、該孔を覆う様に防塵及び補強の為のフィルタ板３９が設けられている。該フィルタ板３９には多数のスリット４１が穿設されており、両端部を屈曲させ、前記屈曲部３７ａ，３７ｃにリベット止めすることで前記扉体１６に取付けられている。
【００３１】
又、該扉体１６の隣合う２つの前記扉厚部３６で形成される４つの隅部には、それぞれ扉コーナ金具４２が設けられている。該扉コーナ金具４２は金属製の板材であり、該扉コーナ金具４２はＬ字状の板材の一側面に三角形形状の板材を溶接して構成されたものである。尚、前記扉コーナ金具４２に於いて、Ｌ字状の板材は長手方向端部に曲げ加工が施されており、Ｌ字状の板材の長手方向端部のみが三角形形状の板材と溶接されている。該扉コーナ金具４２は、隣合う面、例えば扉厚部３６ｂ，３６ｃ及び前記屈曲部３７ｂ，３７ｃと当接可能となっており、前記扉厚部３６ｂ，３６ｃに当接した状態で、前記扉コーナ金具４２の三角面が前記屈曲部３７ｂ，３７ｃにリベット止めされることで固定される。
【００３２】
更に、前記扉体１６の前記屈曲部３７ａ側の中央には鍵部４３が設けられると共に、前記扉体１６の屈曲部３７ｃ側端部の上端部及び下端部にはヒンジピン４４を有するヒンジ部４５がネジ止めにて固定され、前記ヒンジピン４４は前記扉厚部３６ｂ及び前記扉厚部３６ｄの前記屈曲部３７ｃ側端部を貫通して上方及び下方に突出している。
【００３３】
前記扉体１６は、前記正面側水平屈曲部２１ａ及び前記正面側水平屈曲部２７ａの前記右側面板１３側端部に穿設された図示しない軸孔に、前記ヒンジピン４４を挿通させることで前記実装部１５に取付けられ、前記筐体１の組立てが完了する。
【００３４】
該筐体１の組立て完了後には、前記ユニット１７が前記右側面板１３及び前記左側面板１４に穿設されたユニット取付け孔３２を介して前記実装部１５に取付けられ、前記ユニット１７取付け後は前記ヒンジピン４４を介して前記扉体１６で前記実装部１５の開口部を閉塞し、前記鍵部４３により前記扉体１６の開放が拘束される。尚、前記ユニット取付け孔３２の形状は必ずしも矩形である必要はなく、該ユニット取付け孔３２を円形としてもよいことは言う迄もない。
【００３５】
上述の様に、前記筐体１は、溶接を行うことなくリベットにて組立てを行っているので、溶接時の熱により前記筐体１が歪むのを防止できると共に、溶接後の歪み取りや、表面の平滑加工を省略することができ、該筐体１の組立て精度を確保しつつ組立て工数を削減し、労力の低減を図ることができる。
【００３６】
又、前記底板１１及び前記天板１２の隅部に前記筐体コーナ金具３３を設け、前記底板１１、前記天板１２、前記右側面板１３、前記左側面板１４、場合によっては背面板（図示せず）のうち、少なくとも２つの面板が前記筐体コーナ金具３３により一体に固定されるので、各面板の変位が相互に拘束され、振動等に対する強度を向上させることができる。
【００３７】
又、前記底板１１及び前記天板１２に、前記垂直屈曲部１９及び前記垂直屈曲部２６を形成し、前記垂直屈曲部１９及び前記垂直屈曲部２６を前記右側面板１３、前記左側面板１４、場合によっては前記背面板（図示せず）と一体にリベット止めする構造としたので、振動等に対する強度を更に向上させると共に、前記垂直屈曲部１９及び前記垂直屈曲部２６と、前記右側面板１３、前記左側面板１４、場合によっては前記背面板（図示せず）との隙間を閉塞させることができ、該隙間より前記筐体１内に塵や埃等が浸入するのを防止することができる。
【００３８】
又、前記突出部２９の裏面を覆う様に前記側板３５を設けたので、前記筐体１の上下方向の強度を向上させると共に、前記孔３２より前記筐体１内に塵や埃が浸入するのを防止することができる。
【００３９】
又、前記天板１２の正面側垂直屈曲部２６ａに前記放熱孔２５を穿設したので、前記ユニット１７から前記筐体１外への放熱を容易にすることができ、又前記放熱孔２５を覆う様に前記化粧パネル２５ａを取付けたので、前記放熱孔２５が露出せず、意匠性が向上する。尚、該放熱孔２５にフィルタ板を設け、防塵性を向上させる様にしてもよい。
【００４０】
又、前記配線引込み孔２３の上端に断面Ｌ字状の前記取手部２４を設けたので、前記筐体１を運搬する際の前記配線引込み孔２３に対する荷重を分散させることができ、前記筐体１の運搬が容易となる。
【００４１】
更に、前記扉体１６の隅部に前記扉コーナ金具４２を設け、該扉コーナ金具４２は隣合う扉厚部３６と当接すると共に、隣合う屈曲部３７にリベットにて固定されているので、前記扉体１６の変位が拘束され、該扉体１６の強度を向上させることができる。
【００４２】
次に、図８、図９に於いて、本発明の第２の実施例について説明する。尚、図８、図９中、図１〜図７中と同等のものには同符号を付し、その説明を省略すると共に、第２の実施例に於いても方向の定義を第１の実施例と同様とする。又、第２の実施例では、第１の実施例に於ける扉体１６及び背面板の図示及び説明を省略している。尚、図８は右側面板４６を示しているが、該右側面板４６は左側面板４７と同形状であるので、該左側面板４７の説明は省略する。
【００４３】
図８に示される様に、第２の実施例に於ける右側面板４６は金属製の板材によって形成され、前後方向の中心部は、内に向って突出部４８が凹字状に屈曲形成され、該突出部４８の上端部及び下端部が欠切され、該欠切部の両側の上端部に取付け片５０，５０が形成され下端部に取付け片５１，５１が形成されている。
【００４４】
又、前記右側面板４６の前端部及び後端部が直角に屈曲され、該屈曲部の上端部及び下端部には、取付け片５２，５２及び取付け片５３，５３が形成されている。前記取付け片５０，５０にはそれぞれ所定箇所、例えば４箇所にリベット孔５４，５４が穿設され、前記取付け片５１，５１にはそれぞれ所定箇所、例えば４箇所にリベット孔５５，５５が穿設され、前記取付け片５２，５２にはそれぞれ所定箇所、例えば４箇所にリベット孔５６，５６が穿設され、前記取付け片５３，５３にはそれぞれ所定箇所、例えば４箇所にリベット孔５７，５７が穿設されている。
【００４５】
尚、前記取付け片５２，５２間の距離は、天板１２の右側垂直屈曲部２６ｃの長さと略等しく、前記取付け片５３，５３間の距離は、底板１１の右側垂直屈曲部１９ｃの長さと略等しくなっており、前記突出部４８の欠切部の上下方向の距離は、前記右側垂直屈曲部２６ｃの上下方向の長さ及び前記右側垂直屈曲部１９ｃの上下方向の長さと略等しくなっている。更に、前記突出部４８には、上下方向に所定の間隔で複数のユニット取付け孔５８が穿設されている。
【００４６】
筐体１を組立てる際には、先ず前記取付け片５３，５３間に、前記底板１１の前記右側垂直屈曲部１９ｃを挾込み、更に前記右側面板４６を押込んで前記取付け片５１，５１を前記右側垂直屈曲部１９ｃと当接させた後に、前記突出部４８の下端を前記底板１１の右側水平屈曲部２１ｃ上に載置することで、前記右側面板４６が左右方向及び上下方向に位置決めされる。
【００４７】
この時、前記リベット孔５５，５５の位置は、前記右側垂直屈曲部１９ｃのリベット孔の位置と一致し、リベット孔５７，５７の位置は、前記正面側垂直屈曲部１９ａの前記右側垂直屈曲部１９ｃ側のリベット孔、及び前記底板１１の背面屈曲部（図示せず）の前記右側垂直屈曲部１９ｃ側のリベット孔の位置と一致する様になっている。
【００４８】
前記左側面板４７も前記右側面板４６と同様に位置決めを行い、次に前記天板１２の右側水平屈曲部２７ｃを前記突出部４８の上端に載置し、左側水平屈曲部２７ｄを前記左側面板４７の突出部の上端に載置し、前記取付け片５０，５０を右側垂直屈曲部２６ｃに当接させ、前記左側面板４７の取付け片を左側垂直屈曲部２６ｄに当接させることで前記天板１２が左右方向及び上下方向に位置決めされる。
【００４９】
この時、前記リベット孔５４，５４の位置は、前記右側垂直屈曲部２６ｃのリベット孔の位置と一致し、リベット孔５６，５６の位置は、前記正面側垂直屈曲部２６ａの前記右側垂直屈曲部２６ｃ側のリベット孔、及び前記天板１２の背面屈曲部（図示せず）の前記右側垂直屈曲部２６ｃ側のリベット孔の位置と一致する様になっている。
【００５０】
最後に、前記右側面板４６の前記リベット孔５５，５５と前記底板１１のリベット孔とをリベット止めし、前記リベット孔５７，５７と前記底板１１のリベット孔とをリベット止めし、更に前記リベット孔５４，５４と前記天板１２のリベット孔とをリベット止めし、前記リベット孔５６，５６と前記天板１２のリベット孔とをリベット止めし、前記左側面板４７についても前記右側面板４６と同様にリベット止めすることで前記筐体１の組立てが完了する。
【００５１】
該筐体１の組立て完了後は、ユニット１７（図１参照）が前記ユニット取付け孔５８を介してネジ止めされ、前記筐体１に実装される。
【００５２】
尚、上記では前記底板１１に対して、前記右側面板４６、前記左側面板４７、前記天板１２の位置決めを行った後にリベットにて固定しているが、前記右側面板４６、前記左側面板４７の位置決めを行った後に、前記底板１１との仮止めを行い、仮止め後に前記天板１２の位置決めを行い、リベットにて固定してもよい。
【００５３】
上述の様に、第２の実施例の場合も、第１の実施例と同様、溶接を行うことなくリベットにて前記筐体１を組立てているので、溶接時の熱により前記筐体１が歪むのを防止できると共に、溶接後の歪み取りや、表面の平滑加工を省略することができ、該筐体１の組立て精度を確保しつつ組立て工数を削減し、労力の低減を図ることができる。
【００５４】
又、第２の実施例では、前記底板１１、前記天板１２、前記右側面板４６、前記左側面板４７及びリベットのみによって前記筐体１が組立てられるので、該筐体１に於ける部品点数を少なくすることができ、コストの削減を図ることができる。
【００５５】
又、前記右側面板４６及び前記左側面板４７の上端部及び下端部には、直角に屈曲され、隣合う前記垂直屈曲部１９及び前記垂直屈曲部２６にリベット止めされる取付け片を形成したので、前記右側面板４６及び前記左側面板４７に対する振動等が発生した場合でも、前記取付け片により前記右側面板４６及び前記左側面板４７の変位が拘束され、前記筐体１の強度を向上させることができる。
【００５６】
又、取付け片間の距離は前記右側垂直屈曲部１９ｃ，２６ｃ或は前記左側垂直屈曲部１９ｄ，２６ｄの前後方向の距離と略等しくなっているので、前記取付け片間で前記右側垂直屈曲部１９ｃ，２６ｃ或は前記左側垂直屈曲部１９ｄ，２６ｄを挾込むだけで、前記右側面板４６及び前記左側面板４７の位置決めが可能であり、前記筐体１の組立てを容易にすることができる。
【００５７】
更に、前記突出部４８に穿設した前記ユニット取付け孔５８を介して前記ユニット１７を前記筐体１に取付け可能としたので、前記ユニット１７を取付ける為のネジ座を別途設ける必要がなく、部品点数を少なくすることができる。
【００５８】
（付記）
又、本発明は以下の実施の態様を含む。
【００５９】
（付記１）通信機器のユニットを収納する筐体に於いて、該筐体が放熱孔の穿設された上面板と下面板と３枚の側面板と扉体とにより構成され、前記筐体の隅部に各面板の少なくとも２つの面板をリベットにて固定する筐体コーナ金具を設け、前記扉体の隅部にリベットにて固定された扉コーナ金具を設けたことを特徴とする通信機器筐体。
【００６０】
（付記２）前記３枚の側面板に取手部を形成し、前記筐体の運搬を容易にした付記１の通信機器筐体。
【００６１】
（付記３）通信機器のユニットを収納する筐体に於いて、該筐体が上面板と下面板と３枚の側面板と扉体とにより構成され、前記上面板と前記下面板の少なくとも１辺が垂直方向に屈曲されて垂直屈曲部が形成され、該垂直屈曲部の両端部には所定数のリベット孔が穿設され、前記上面板及び前記下面板に前記側面板を重ねた際に、前記リベット孔の位置と一致する様前記側面板にリベット孔を穿設したことを特徴とする通信機器筐体。
【００６２】
（付記４）前記上面板及び前記下面板は４辺が垂直方向に屈曲されて垂直屈曲部が形成され、該垂直屈曲部の両端部にはそれぞれ所定数のリベット孔が穿設された付記３の通信機器筐体。
【００６３】
（付記５）前記側面板の両端部が直角に屈曲され、屈曲部の上端及び下端に取付け片が形成され、該取付け片に所定数のリベット孔が穿設され、前記取付け片のリベット孔の位置は前記上面板及び下面板の角を隔てて隣合う前記垂直屈曲部のリベット孔の位置と一致する付記４の通信機器筐体。
【符号の説明】
【００６４】
１              筐体
１１            底板
１２            天板
１３            右側面板
１４            左側面板
１５            実装部
１６            扉体
１９            垂直屈曲部
２１            水平屈曲部
２６            垂直屈曲部
２７            水平屈曲部
３３            筐体コーナ金具
４２            扉コーナ金具
４６            右側面板
４７            左側面板
５０〜５３      取付け片
【図１】
2012151330.tif 000003
【図２】
2012151330.tif 000004
【図３】
2012151330.tif 000005
【図４】
2012151330.tif 000006
【図５】
2012151330.tif 000007
【図６】
2012151330.tif 000008
【図７】
2012151330.tif 000009
【図８】
2012151330.tif 000010
【図９】
2012151330.tif 000011
【図１０】
2012151330.tif 000012